(57)【要約】【課題】垂壁納まり仕様のオーバーハング部において、通気・排水を確保するとともに、意匠性、施工性、及び汎用性向上を可能とする垂壁納まり用部材、及び該部材を用いた垂壁を提供する。【解決手段】建物躯体４の室外側に配置された胴縁５、外壁材２、及び躯体の下面より下方に配置された軒天材３を備える垂壁納まりのオーバーハング部に使用される垂壁納まり用部材１０、２０、４０であって、胴縁の下方に、該胴縁の端面に対向して配置される長尺の平板状の部材であるとともに、板厚方向に貫通する少なくとも１つの孔１３、１３、…、２３、２３、…、４３、４３、…が設けられた水抜き片１２、２２、４２と、胴縁の室外側面に取り付けられる面を有する長尺の平板状の部材である取付片１１、２１、４１と、を備えるものとする。【選択図】図３
2009162024.tif 000002
【特許請求の範囲】
【請求項１】
建物躯体の室外側に配置された胴縁、外壁材、及び前記躯体の下面より下方に配置された軒天材を備える垂壁納まりのオーバーハング部に使用される垂壁納まり用部材であって、
前記胴縁の下方に、該胴縁の端面に対向して配置される長尺の平板状の部材であるとともに、板厚方向に貫通する少なくとも１つの孔が設けられた水抜き片と、
前記胴縁の室外側面に取り付けられる面を有する長尺の平板状の部材である取付片と、
を備える垂壁納まり用部材。
【請求項２】
さらに前記外壁材の下端を載置する面を有する受け片が前記水抜き片と一体又は別体で設けられることを特徴とする請求項１に記載の垂壁納まり用部材。
【請求項３】
請求項１又は２に記載の垂壁納まり用部材がオーバーハング部に備えられることを特徴とする建物の垂壁。
【発明の詳細な説明】
【技術分野】
【０００１】
本発明は、建物の垂壁納まり仕様のオーバーハング部に用いられる垂壁納まり用部材及び該部材を用いた垂壁に関する。
【背景技術】
【０００２】
住宅等の建物の垂壁納まり仕様のオーバーハング部の構造は、従来、図１０に示すようなものであった。図１０は、垂壁のオーバーハング部に注目した垂直断面である。従来の垂壁のオーバーハング部では、梁１０４の室外側面に縦胴縁１０５が固定部材１０７により取り付けられている。このとき、梁１０４と縦胴縁１０５との間に透湿防水紙が配置されることもある。縦胴縁１０５の室外側面には、外壁材１０２が固定部材１０６により取り付けられる。一方、梁１０４の下面側には軒天材１０３が配置され、オーバーハング部下方に形成される空間の天井部となっている。
【０００３】
また、外壁材の下端部と軒天材の室外側端部とからなる縁部における通気性や外観を向上させる目的で、特許文献１には垂壁納まり用部材（オーバーハング部材）が開示されている。
【０００４】
【特許文献１】特許第３５２２６９３号公報
【発明の開示】
【発明が解決しようとする課題】
【０００５】
しかしながら、従来の垂壁納まり構造では、そのオーバーハング部の通気や排水が良好であるとはいえず、結露水や他の原因による水分が残存し、軒天材等の部材の劣化を招いてしまう虞があった。また、通気や排水を確保するためここに間隙を設ければ外観を損なう問題があった。
【０００６】
また、特許文献１に記載のオーバーハング部材では、これら問題を解決することはできるものの、通気部分の厚さ（室内外方向距離）が変わるとそれに合わせたオーバーハング部材が必要であり、汎用的な使用が困難であった。また、当該オーバーハング部材は外壁材に接触させて具備させるので、その位置を注意深く調整しなければならず、施工性向上が望まれていた。
【０００７】
そこで本発明は、これら問題点に鑑み、垂壁納まり仕様のオーバーハング部において、通気・排水を確保するとともに、意匠性、施工性、及び汎用性向上を可能とする垂壁納まり用部材、及び該部材を用いた垂壁を提供することを課題とする。
【課題を解決するための手段】
【０００８】
請求項１に記載の発明は、建物躯体（４）の室外側に配置された胴縁（５）、外壁材（２）、及び躯体の下面より下方に配置された軒天材（３）を備える垂壁納まりのオーバーハング部に使用される垂壁納まり用部材（１０、２０、４０）であって、胴縁の下方に、該胴縁の端面に対向して配置される長尺の平板状の部材であるとともに、板厚方向に貫通する少なくとも１つの孔（１３、１３、…、２３、２３、…、４３、４３、…）が設けられた水抜き片（１２、２２、４２）と、胴縁の室外側面に取り付けられる面を有する長尺の平板状の部材である取付片（１１、２１、４１）と、を備える垂壁納まり用部材を提供することにより前記課題を解決する。
【０００９】
ここで、「孔」とは板厚方向に貫通する形態であればその形状は特に限定されるものではなく、円形、矩形、又はスリット状等であるものを含む概念である。
【００１０】
請求項２に記載の発明は、請求項１に記載の垂壁納まり用部材（２０）において、さらに外壁材（２）の下端を載置する面を有する受け片（２７）が水抜き片（２２）と一体又は別体で設けられることを特徴とする。
【００１１】
請求項３に記載の発明は、請求項１又は２に記載の垂壁納まり用部材（１０、２０、４０）がオーバーハング部に備えられることを特徴とする建物の垂壁（１、３０、５０）を提供することにより前記課題を解決する。
【発明の効果】
【００１２】
本発明の垂壁納まり用部材によれば、通気・排水を確保し、意匠性を向上させることができることに加え、施工性、汎用性にも優れたものとすることが可能である。そして当該垂壁納まり用部材を備えることにより、施工が容易とされつつも通気・排水、及び意匠性に優れた垂壁を提供することができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。
【００１５】
図１は、第一実施形態に係る本発明の垂壁納まり用部材１０の斜視図である。図１（ａ）と、図１（ｂ）とでは、それぞれ異なる視点から垂壁納まり用部材１０を見た場合の図である。詳しくは図１（ａ）は取付片１１の折り返し部１１ａが備えられる側から、図１（ｂ）は水抜き片１２側から見た斜視図である。垂壁納まり用部材１０は、後述するように長尺の部材なので、図１ではその一部を示し、図１（ａ）では紙面右上方向に、図１（ｂ）では紙面右下方向にそれぞれ延在する。
図２は、図１（ａ）に矢印Ａで示した方向から垂壁納まり用部材１０を見た図である。図１、図２及び適宜示す図を参照しつつ垂壁納まり用部材１０について説明する。
【００１６】
垂壁納まり用部材１０は、全体として長尺の部材であり、図２に示した形状を概ね維持しつつ図２の紙面奥方向に延在する。ただし、後述するように、水抜き孔１３、１３、…については垂壁納まり用部材１０の長手方向に並列されるように備えられる。
【００１７】
垂壁納まり用部材１０は、平板状の部材である取付片１１を備えている。取付片１１の一端部には折り返されるように形成される折り返し部１１ａが設けられている。取付片１１の折り返し部１１ａが設けられた側とは反対側の端部からは、取付片１１の面に対して略直角に立設される平板状の部材である水抜き片１２が備えられる。水抜き片１２には、その厚さ方向に貫通する複数の孔である水抜き孔１３、１３、…が水抜き片１２の長手方向に並列されている。本実施形態において、当該水抜き孔は複数の孔が並列されているが、これに限定されることなく、例えば１つの孔やスリットで構成されていてもよい。また、本実施形態においては、折り返し部１１ａを設けているが、折り返し部がない状態で構成されていてもよい。
【００１８】
水抜き片１２の取付片１１が備えられる端部とは反対側の端部からは、水抜き片１２の面に対して略直角で、取付片１１側と同じ側に立設される平板状の部材である水止め片１４が備えられる。さらに、水止め片１４の水抜き片１２側とは反対側の端部は、折り返されるように軒天止め片１５が形成されている。従って、水止め片１４と軒天止め片１５とは略平行に並べられた平板状部材である。
【００１９】
軒天止め片１５の折り返されるように形成された端部とは反対側端部からは、軒天止め片１５の面に対して略直角で、取付片１１から離隔する方向に立設される平板状の部材である支持片１６が備えられる。支持片１６の軒天止め片１５が備えられる側とは反対側の端部は折り返され、押し返し部１６ａが形成されている。
【００２０】
このような構造の垂壁納まり用部材１０は、ここでは一枚の板から折り曲げるように各片を形成するように説明した。しかし、これに限定されることなく、別体の平板を接合することにより形成しても、押出加工のように、直接的に形成することも可能である。又は、これらを組み合わせて形成してもよい。この場合には、例えば水止め片１４と軒天止め片１５とは上記のように別に設けられる必要はなく、１つの片で形成されて一体であってもよい。
【００２１】
垂壁納まり用部材１０に用いられる材料の材質は特に限定されるものではなく、上記形状を形成することができるあらゆる材質のものを適用することが可能である。これには例えば、ステンレス鋼、鋼材、アルミニウム及び樹脂等を挙げることができる。
【００２２】
次に上記垂壁納まり用部材１０が備えられる垂壁仕様のオーバーハング部について説明する。図３は、垂壁納まり用部材１０を施工した垂壁１を有する建物の断面図で、オーバーハング部に注目した図である。図３及び以下の説明では、オーバーハング部についてのみ説明をする。建物、及び垂壁１の他の部分については、通常の建物と同じ構成である。
【００２３】
図３からわかるように、垂壁納まり用部材１０は、取付片１１が外壁材２側（室外側）に、支持片１６が軒天材３側（室内側）に向けられるとともに、水抜き片１２が下になるように配置される。以下に詳しく説明する。
【００２４】
建物の梁４の室外側に、縦胴縁５が配置され、該縦胴縁５の室外側下端部に垂壁納まり用部材１０の取付片１１の室内側面が接するように配置される。そして、これら縦胴縁５及び取付片１１を貫通して梁４に達する固定部材７により縦胴縁５及び垂壁納まり用部材１０が梁４に固定される。従って、縦胴縁５を梁４に固定するための固定部材７を用いて垂壁納まり用部材１０も梁４に固定することができ、部材数を減らすことが可能となる。このとき、梁４と縦胴縁５との間には透湿防水紙が設けられてもよい。本実施形態では、縦胴縁が配置される例を示したが、これに限定されることはなく、水平に設けられる横胴縁であってもよい。
【００２５】
上記垂壁納まり用部材１０の配置についてさらに詳しくは次の通りである。すなわち、水抜き片１２は、取付片１１より室内側に配置され、胴縁５の下端の下方に具備される。水止め片１４、軒天止め片１５、及び支持片１６は、梁４の下面の下方に位置する。ここで、当該水止め片１４、軒天止め片１５、及び支持片１６は、図３にＢで示した取付片１１と水止め片１４との距離によっては胴縁５の下方に配置されてもよい。ただし、軒天材３側への水の周り込みを防止する観点から、図３に示したように、水止め片１４、軒天止め片１５及び支持片１６は、梁４の下面の下方に位置することが好ましい。
【００２６】
外壁材２は、垂壁納まり用部材１０の取付片１１の室外側に配置され、固定部材６により梁４に固定される。また軒天材３は、支持片１６の上面側に載置され、支持片１６と梁４の下面との間に具備される。
【００２７】
このように、垂壁納まり用部材１０では、胴縁５及び、該胴縁５より室内側に存する各部材の端部をその下方から室内側に向けて囲うように構成されている。従って、垂壁納まり用部材１０は、外壁材２とは無関係に配置することが可能となり、梁４と外壁材２との間隙が異なる場合でも適切に垂壁納まり用部材１０を取り付けることができる。
【００２８】
また、結露水等の排水すべき水の通水、及び通気の通路は、取付片１１及び水止め片１４との間、及び水抜き孔１３において確保され、該水抜き孔１３を通じて排水及び通気がされる。また、外壁材２の下端部と軒天材３の室外側端部との間隙には、室外視で水抜き片１２の下面が見えるので、意匠性を確保することができる。
【００２９】
図４は、第二実施形態に係る本発明の垂壁納まり用部材２０の斜視図である。図４（ａ）と、図４（ｂ）とでは、それぞれ異なる視点から垂壁納まり用部材２０を見た場合の図である。詳しくは図４（ａ）は取付片２１の折り返し部２１ａが備えられる側から、図４（ｂ）は水抜き片２２側から見た斜視図である。垂壁納まり用部材２０は、垂壁納まり用部材１０と同様に長尺の部材なので、図４ではその一部を示し、図４（ａ）では紙面右上方向に、図４（ｂ）では紙面右下方向にそれぞれ延在する。
図５は、図４（ａ）に矢印Ｃで示した方向から垂壁納まり用部材２０を見た図である。図４、図５及び適宜示す図を参照しつつ垂壁納まり用部材２０について説明する。
【００３０】
垂壁納まり用部材２０は、全体として長尺の部材であり、図５に示した形状を概ね維持しつつ図５の紙面奥方向に延在する。ただし、垂壁納まり用部材１０と同様に、水抜き孔２３、２３、…については垂壁納まり用部材２０の長手方向に並列されるように備えられる。
【００３１】
垂壁納まり用部材２０は、平板状の部材である取付片２１を備えている。取付片２１の一端部には折り返されるように形成される折り返し部２１ａが設けられている。取付片２１の折り返し部２１ａが設けられた側とは反対側の端部からは、取付片２１の面に対して略直角に立設される平板状の部材である受け片２７が備えられる。また、本実施形態においては、折り返し部２１ａを設けているが、折り返し部がない状態で構成されていてもよい。
【００３２】
受け片２７の取付片２１が備えられる側とは反対側の端部からは、該受け片２７から折り返されるように配設される平板状の部材である水抜き片２２が備えられる。水抜き片２２には、その厚さ方向に貫通する複数の孔である水抜き孔２３、２３、…が該水抜き片２２の長手方向に並列されている。本実施形態において、当該水抜き孔は複数の孔が並列されているが、これに限定されることなく、例えば１つの孔やスリットで構成されていてもよい。
【００３３】
水抜き片２２の受け片２７が備えられる端部とは反対側の端部からは、水抜き片２２の面に対して略直角で、取付片２１側と同じ側に立設される平板状の部材である水止め片２４が備えられる。さらに、水止め片２４の水抜き片２２側とは反対側の端部は、折り返されるように軒天止め片２５が形成されている。従って、水止め片２４と軒天止め片２５とは略平行に並べられた平板状部材である。
【００３４】
軒天止め片２５の折り返されるように形成された端部とは反対側端部からは、軒天止め片２５の面に対して略直角で、取付片２１から離隔する方向に立設される平板状の部材である支持片２６が備えられる。支持片２６の軒天止め片２５が備えられる側とは反対側の端部は折り返され、折り返し部２６ａが形成されている。
【００３５】
このような構造の垂壁納まり用部材２０は、ここでは一枚の板から折り曲げるように各片を形成するように説明した。しかし、これに限定されることなく、別体の平板を接合することにより形成しても、押出加工のように、直接的に形成することも可能である。又は、これらを組み合わせて形成してもよい。この場合には、例えば水止め片２４と軒天止め片２５と、及び／又は受け片２７と水抜き片２２とは上記のように別に設けられる必要はなく、１つの片で形成されて一体であってもよい。
【００３６】
垂壁納まり用部材２０に用いられる材料の材質は特に限定されるものではなく、上記形状を形成することができるあらゆる材質のものを適用することが可能である。これには例えば、ステンレス鋼、鋼材、アルミニウム及び樹脂等を挙げることができる。
【００３７】
次に上記垂壁納まり用部材２０が備えられる垂壁仕様のオーバーハング部について説明する。図６は、垂壁納まり用部材２０を施工した垂壁３０を有する建物の断面図で、オーバーハング部に注目した図である。図６及び以下の説明では、オーバーハング部についてのみ説明をする。建物及び垂壁３０の他の部分については、通常の建物と同じ構成である。
【００３８】
図６からわかるように、垂壁納まり用部材２０は、取付片２１が外壁材２側（室外側）に、支持片２６が軒天材３側（室内側）に向けられるとともに、水抜き片２２が下になるように配置される。以下に詳しく説明する。
【００３９】
建物の梁４の室外側に、縦胴縁５が配置され、該縦胴縁５の室外側下端部に垂壁納まり用部材２０の取付片２１の室内側面が接するように配置される。そして、これら縦胴縁５及び取付片２１を貫通して梁４に達する固定部材７により縦胴縁５及び垂壁納まり用部材２０が梁４に固定される。従って、縦胴縁５を梁４に固定するための固定部材７を用いて垂壁納まり用部材２０も梁４に固定することができ、部材数を減らすことが可能となる。このとき、梁４と縦胴縁５との間には透湿防水紙が設けられてもよい。ここでも本実施形態では、縦胴縁が配置される例を示したが、これに限定されることはなく、水平に設けられる横胴縁であってもよい。
【００４０】
上記垂壁納まり用部材２０の配置についてさらに詳しくは次の通りである。すなわち、受け片２７、及び水抜き片２２は、受け片２７の部分は取付片２１より室外側に、他の部分は取付片２１より室内側に配置され、胴縁５の下端の下方に具備される。水止め片２４、軒天止め片２５、及び支持片２６は、梁４の下面の下方に位置する。ここで、当該水止め片２４、軒天止め片２５、及び支持片２６は、図６にＤで示した取付片２１と水止め片２４との距離によっては胴縁５の下方に配置されてもよい。ただし、軒天材３側への水の周り込みを防止する観点から、図６に示したように、水止め片２４、軒天止め片２５及び支持片２６は、梁４の下面の下方に位置することが好ましい。
【００４１】
外壁材２は、垂壁納まり用部材２０の取付片２１の室外側に配置され、固定部材６により梁４に固定される。このとき、外壁材２の下端は受け片２７の上面に載置される。また軒天材３は、支持片２６の上面側に載置され、支持片２６と梁４の下面との間に具備される。
【００４２】
このように、垂壁納まり用部材２０では、胴縁５及び、該胴縁５より室内側に存する各部材の端部をその下方から室内側に向けて囲うように構成されている。従って、垂壁納まり用部材２０は、外壁材２とは無関係に配置することが可能となり、梁４と外壁材２との間隙が異なる場合でも適切に垂壁納まり用部材２０を取り付けることができる。
【００４３】
また、結露水等の排水すべき水の通水、及び通気の通路は、取付片２１及び水止め片２４との間、及び水抜き孔２３において確保され、該水抜き孔２３を通じて排水及び通気がされる。また、外壁材２の下端部と軒天材３の室外側端部との間隙には、室外視で水抜き片２２の下面が見えるので、意匠性を確保することができる。
【００４４】
加えて垂壁納まり用部材２０では、受け片２７の上に外壁材２を載置することができるので、外壁材２の設置の際には位置決めが容易となり、取付後においても外壁材２の下端面の保護及び外観の向上をはかることができる。
【００４５】
図７は、第三実施形態に係る本発明の垂壁納まり用部材４０の斜視図である。図７（ａ）と、図７（ｂ）とは、それぞれ異なる視点から垂壁納まり用部材４０を見た場合の図である。詳しくは図７（ａ）は取付片４１の折り返し部４１ａが備えられる端部側から、図７（ｂ）は水抜き片４２側から見た斜視図である。垂壁納まり用部材４０は、垂壁納まり用部材１０と同様に長尺の部材なので、図７にはその一部を示し、図７（ａ）では紙面右上方向に、図７（ｂ）では紙面右下方向にそれぞれ延在する。
図８は、図７（ａ）に矢印Ｅで示した方向から垂壁納まり用部材４０を見た図である。図７、図８及び適宜示す図を参照しつつ垂壁納まり用部材４０について説明する。
【００４６】
垂壁納まり用部材４０は、全体として長尺の部材であり、図８に示した形状を概ね維持しつつ図８の紙面奥方向に延在する。ただし、垂壁納まり用部材１０と同様に、水抜き孔４３、４３、…については垂壁納まり用部材４０の長手方向に並列されるように備えられる。
【００４７】
垂壁納まり用部材４０は、平板状の部材である取付片４１を備えている。取付片４１の一端部には折り返されるように形成される折り返し部４１ａが設けられている。取付片４１の折り返し部４１ａが設けられた側とは反対側の端部からは、取付片４１の面に対して略直角に立設される平板状の部材である水抜き片４２が備えられる。水抜き片４２には、その厚さ方向に貫通する複数の孔である水抜き孔４３、４３、…が該水抜き片４２の長手方向に並列されている。本実施形態において、当該水抜き孔は複数の孔が並列されているが、これに限定されることなく、例えば１つの孔やスリットで構成されていてもよい。また、本実施形態においては、折り返し部４１ａを設けているが、折り返し部がない状態で構成されていてもよい。
【００４８】
水抜き片４２の取付片４１が備えられる端部とは反対側の端部からは、水抜き片４２の面に対して略直角で、取付片４１側と同じ側に立設される平板状の部材である片４４が備えられる。さらに、片４４の水抜き片４２が備えられる端部とは反対側の端部からは、該片４４の面と略直角であり、取付片４１から離隔する方向に備えられる支持片４６が具備されている。支持片４６は断面がＵ字状に折り返されるように形成された部材で、該Ｕ字状の折り返し部分でない一端が片４４の一端と連結されている。
【００４９】
支持片４６の片４４とは連結していない側の端部からは、支持片４６に略直角に立設するように設けられた軒天止め片４５が配置されている。
【００５０】
このような構造の垂壁納まり用部材４０は、ここでは一枚の板から折り曲げるように各片を形成するように説明した。しかし、これに限定されることなく、別体の平板を接合することにより形成しても、押出加工のように、直接的に形成することも可能である。又は、これらを組み合わせて形成してもよい。この場合には、例えばＵ字状に形成された支持片４６は一枚の平板状の部材であってもよい。
【００５１】
垂壁納まり用部材４０に用いられる材料の材質は特に限定されるものではなく、上記形状を形成することができるあらゆる材質のものを適用することが可能である。これには例えば、ステンレス鋼、鋼材、アルミニウム及び樹脂等を挙げることができる。
【００５２】
次に上記垂壁納まり用部材４０が備えられる垂壁仕様のオーバーハング部について説明する。図９は、垂壁納まり用部材４０を施工した垂壁５０を有する建物の断面図で、オーバーハング部に注目した図である。図９及び以下の説明では、オーバーハング部についてのみ説明をする。建物及び垂壁５０の他の部分については、通常の建物と同じ構成である。
【００５３】
図９からわかるように、垂壁納まり用部材４０は、取付片４１が外壁材２側（室外側）に、支持片４６が軒天材３側（室内側）に向けられるとともに、水抜き片４２が下になるように配置される。以下に詳しく説明する。
【００５４】
建物の梁４の室外側に、縦胴縁５が配置され、該縦胴縁５の室外側下端部に垂壁納まり用部材４０の取付片４１の室内側面が接するように配置される。そして、これら縦胴縁５及び取付片４１を貫通して梁４に達する固定部材７により縦胴縁５及び垂壁納まり用部材４０が梁４に固定される。従って、縦胴縁５を梁４に固定するための固定部材７を用いて垂壁納まり用部材４０も梁４に固定することができ、部材数を減らすことが可能となる。このとき、梁４と縦胴縁５との間には透湿防水紙が設けられてもよい。ここでも本実施形態では、縦胴縁が配置される例を示したが、これに限定されることはなく、水平に設けられる横胴縁であってもよい。
【００５５】
上記垂壁納まり用部材４０の配置についてさらに詳しくは次の通りである。すなわち、水抜き片４２は、取付片４１より室内側に配置され、胴縁５の下端の下方に具備される。軒天止め片４５、及び支持片４６は、梁４の下面の下方に位置する。ここで、当該軒天止め片４５、及び支持片４６は、図９にＦで示した取付片４１と軒天止め片４５との距離によっては胴縁５の下方に配置されてもよい。ただし、軒天材３側への水の周り込みを防止する観点から、図９に示したように、軒天止め片４５及び支持片４６は、梁４の下面の下方に位置することが好ましい。本実施形態では、第一実施形態で説明した垂壁納まり用部材１０、及び第二実施形態で説明した垂壁納まり用部材２０において備えられた水止め片１４、２４が備えられていない。しかし、本実施形態では、軒天止め片４５が水止め片の役割を兼ね備えており、実質的には水止め片も具備されている。
【００５６】
外壁材２は、垂壁納まり用部材４０の取付片４１の室外側に配置され、固定部材６により梁４に固定される。そして、軒天材３は、支持片４６の上面側に載置され、支持片４６と梁４の下面との間に具備される。
【００５７】
このように、垂壁納まり用部材４０では、胴縁５及び、該胴縁５より室内側に存する各部材の端部をその下方から室内側に向けて囲うように構成されている。従って、垂壁納まり用部材４０は、外壁材２とは無関係に配置することが可能となり、梁４と外壁材２との間隙が異なる場合でも適切に垂壁納まり用部材４０を取り付けることができる。
【００５８】
また、結露水等の排水すべき水の通水、及び通気の通路は、取付片４１及び軒天止め片４５との間、及び水抜き孔４３において確保され、該水抜き孔４３を通じて排水及び通気がされる。また、外壁材２の下端部と軒天材３の室外側端部との間隙には、室外視で水抜き片４２の下面が見えるので、意匠性を確保することができる。
【００５９】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う垂壁納まり用部材及び該部材を用いた垂壁もまた本発明の技術的範囲に包含されるものとして理解されなければならない。
【図面の簡単な説明】
【００６０】
【図１】第一実施形態に係る本発明の垂壁納まり用部材の斜視図である。
【図２】図１にＡで示した視点から垂壁納まり用部材を見た図である。
【図３】建物の断面図で垂壁納まり用部材が配置された垂壁納まりのオーバーハング部に注目して示した図である。
【図４】第二実施形態に係る本発明の垂壁納まり用部材の斜視図である。
【図５】図４にＣで示した視点から垂壁納まり用部材を見た図である。
【図６】建物の断面図で垂壁納まり用部材が配置された垂壁納まりのオーバーハング部に注目して示した図である。
【図７】第三実施形態に係る本発明の垂壁納まり用部材の斜視図である。
【図８】図７にＥで示した視点から垂壁納まり用部材を見た図である。
【図９】建物の断面図で垂壁納まり用部材が配置された垂壁納まりのオーバーハング部に注目して示した図である。
【図１０】従来における垂壁納まりのオーバーハング部の断面図である。
【符号の説明】
【００６１】
１、３０、５０  垂壁
２  外壁材
３  軒天材
４  梁（建物躯体）
５  胴縁（縦胴縁）
６、７  固定部材
１０、２０、４０  垂壁納まり用部材
１１、２１、４１  取付片
１２、２２、４２  水抜き片
１３、２３、４３  水抜き孔
１４、２４  水止め片
１５、２５、４５  軒天止め片
１６、２６、４６  支持片
２７  受け片
【図１】
2009162024.tif 000003
【図２】
2009162024.tif 000004
【図３】
2009162024.tif 000005
【図４】
2009162024.tif 000006
【図５】
2009162024.tif 000007
【図６】
2009162024.tif 000008
【図７】
2009162024.tif 000009
【図８】
2009162024.tif 000010
【図９】
2009162024.tif 000011
【図１０】
2009162024.tif 000012